(57)【要約】【課題】カードを挿入した状態において、当該カードに極めて簡便に書き込みを行うことができるカードホルダを提供する。【解決手段】カードを収容する収容部１０と、孔部２２を有すると共に、一端部が収容部１０に連結し、該一端部を軸に下方に回動する脚部２０と、脚部２０より下方の位置で一端部が収容部１０に連結し、脚部２０が下方に回動した状態において、該一端部を軸に下方に回動して他端部が孔部２２に挿通することにより脚部２０と係合し、脚部２０の下方へのさらなる回動を可能に該脚部２０の上方への回動を規制する規制部３０と、を備え、脚部２０と規制部３０とが係合した状態において、収容部１０の下端部と脚部２０の他端部とが設置面に接して自立し、脚部２０が下方へさらに回動して収容部１０の背面に接すると共に、規制部３０が上方へ回動して脚部２０の前面に接することにより平板状をなす。【選択図】図１
0003206431.tif 000002
【実用新案登録請求の範囲】
【請求項１】
カードを収容する収容部と、
孔部を有すると共に、一端部が前記収容部に連結し、該一端部を軸に下方に回動する脚部と、
前記脚部より下方の位置で一端部が前記収容部に連結し、前記脚部が下方に回動した状態において、該一端部を軸に下方に回動して他端部が前記孔部に挿通することにより前記脚部と係合し、前記脚部の下方へのさらなる回動を可能に該脚部の上方への回動を規制する規制部と、
を備え、
前記脚部と前記規制部とが係合した状態において、前記収容部の下端部と前記脚部の他端部とが設置面に接して自立し、前記脚部が下方へさらに回動して前記収容部の背面に接すると共に、前記規制部が上方へ回動して前記脚部の前面に接することにより平板状をなすことを特徴とするカードホルダ。
【請求項２】
前記脚部には、前記孔部に達する切れ込みが形成されており、
前記規制部は、前記脚部の背面側から前記孔部および前記切れ込みに挿通し、前記孔部の周縁部の前面に当接することにより前記脚部と係合し、前記脚部の上方への回動を規制する
ことを特徴とする請求項１記載のカードホルダ。
【請求項３】
前記規制部は、矩形の規制本体と該規制本体の両端部から下方に延在する２つの脚体とを有するコの字型をなしており、
前記孔部は離間された２つの孔からなり、
前記切り込みが該２つの孔を連通するように形成されることにより、該２つの孔間に前記規制本体と当接するための当接片が形成され、
前記規制本体が前記脚部の背面側から前記２つの孔および前記切り込みに挿通されることにより、前記２つの脚体のそれぞれが前記２つの孔のそれぞれに個別に貫通し、前記規制本体が前記脚部の前面側に位置した状態で前記当接片の前面に当接することにより、前記脚部の上方への回動が規制される
ことを特徴とする請求項２記載のカードホルダ。
【請求項４】
前記規制部は、左右方向両端部の少なくとも何れか一端部に、他端部と離間する方向に突出した規制突起を有し、
前記切り込みは、前記孔部より左右方向に長く形成されており、
前記規制部が前記規制突起と共に前記脚部の背面側から前記孔部および前記切り込みに挿通され、前記規制突起が前記脚部の前面側に位置した状態で前記孔部の周縁部の前面に当接することにより、前記脚部の上方への回動が規制される
ことを特徴とする請求項２記載のカードホルダ。
【請求項５】
前記脚部および前記規制部は、下方に回動して所定の位置に位置付けられた状態で係合し、前記脚部の下方へのさらなる回動および前記規制部の上方への回動がなされた場合に、それぞれの前記所定の位置に戻るよう弾性を有する
ことを特徴とする請求項１〜請求項４のいずれか１項に記載のカードホルダ。
【考案の詳細な説明】
【技術分野】
【０００１】
本考案は、カレンダー紙葉、写真、絵、切り抜き等のカードを収容するカードホルダに関する。
【背景技術】
【０００２】
従来、この種のカードホルダとしては、特許文献１や特許文献２に示されるような、暦等を印刷した複数枚のカレンダー紙葉と表紙などからなるカレンダー本文を収容して保持する卓上カレンダー立や、卓上カレンダーが知られている。
【０００３】
これらのカードホルダは、組み立て式となっており、例えば特許文献１に示される卓上カレンダー立は、カレンダー紙葉が挿入されるケース部材中に脚板が挿入され、これを折曲組立することによりケース部材を傾斜状態に保持するようにしている。また、特許文献２に示される卓上カレンダーは、前面板と後面板とを所定角度に開いて、前底板の延長部先端を後面板に係止し、後底板から延びる支持片を、前底板の切込を介して前方へ突出させ、前面板の後側に沿わせたカードを支持片の先端で支持するようにしている。
【先行技術文献】
【特許文献】
【０００４】
【特許文献１】実開平４−１１６７２号公報
【特許文献２】特開２００４−５８４７８号公報
【考案の概要】
【考案が解決しようとする課題】
【０００５】
しかしながら、カードホルダにカードを挿入して机等の設置面に載置した後に、そのカードに予定やメッセージ等の書き込みを行いたい場合、上述したような卓上カレンダー立や卓上カレンダー等のカードホルダでは、カードホルダからカードを抜去するか、カードホルダ自身の組み立てを解除して寝かせて書き込みを行う等しなければならず、またその際には再度組み立てる必要があるため、非常に手間がかかるという問題があった。
【０００６】
そこで、本考案は、このような問題に鑑みてなされたもので、その目的とするところは、カードを挿入した状態において、当該カードに極めて簡便に書き込みを行うことができるカードホルダを提供することにある。
【課題を解決するための手段】
【０００７】
上記課題を解決するために、本考案の一態様は、カードを収容する収容部と、孔部を有すると共に、一端部が前記収容部に連結し、該一端部を軸に下方に回動する脚部と、前記脚部より下方の位置で一端部が前記収容部に連結し、前記脚部が下方に回動した状態において、該一端部を軸に下方に回動して他端部が前記孔部に挿通することにより前記脚部と係合し、前記脚部の下方へのさらなる回動を可能に該脚部の上方への回動を規制する規制部と、を備え、前記脚部と前記規制部とが係合した状態において、前記収容部の下端部と前記脚部の他端部とが設置面に接して自立し、前記脚部が下方へさらに回動して前記収容部の背面に接すると共に、前記規制部が上方へ回動して前記脚部の前面に接することにより平板状をなす。
【考案の効果】
【０００８】
本考案によれば、カードを挿入した状態において、当該カードに極めて簡便に書き込みを行うことができる。なお、本考案のその他の効果については、以下の考案を実施するための形態の項でも説明する。
【図面の簡単な説明】
【０００９】
【図１】不使用状態にある実施の形態１に係るカードホルダを模式的に示す正面図である。
【図２】側縁支持部および下端縁支持部が形成された状態にあるカードホルダを示す正面図である。
【図３】脚部の組み立て後の自立状態にあるカードホルダを示す斜視図である。
【図４】（ａ）は脚部および規制部を回動させた状態を示し、（ｂ）は脚部と規制部とが係合した状態を示し、（ｃ）は脚部と規制部とが係合し傾斜した状態を示すカードホルダの概略側面図である。
【図５】係合状態にある脚部と規制部とを示す背面図である。
【図６】（ａ）はカードホルダを寝かせた状態を示し、（ｂ）は脚部が回動した状態を示し、（ｃ）は脚部と規制部とがさらに回動した状態を示し、（ｄ）はカードホルダが平板状をなした状態を示す概略側面図である。
【図７】カードホルダを寝かせた状態を示す概略側面図である。
【図８】側縁支持部および下端縁支持部が形成された状態にある実施の形態２に係るカードホルダを模式的に示す正面図である。
【図９】脚部の組み立て後の自立状態にあるカードホルダを示す斜視図である。
【図１０】係合状態にある脚部と規制部とを示す背面図である。
【考案を実施するための形態】
【００１０】
以下に図面を参照しながら、本考案の好適な実施の形態について詳細に説明する。なお、本明細書及び図面において、実質的に同一の機能構成を有する構成要素については、同一の符号を付することにより重複説明を省略する。
【００１１】
＜実施の形態１＞
先ず、本考案の実施の形態１に係るカードホルダの構成を、図１および図２を用いて説明する。
【００１２】
（構成）
図１に示されるように、カードホルダ１は、主として、カードを収容する収容部１０と、収容部１０を傾斜状態に保持するために収容部１０から起立自在となった脚部２０と、脚部２０と係合して脚部２０の上方への回動を規制するために収容部１０から起立自在となった規制部３０と、を備えて構成された板状部材である。本実施の形態においては、これら収容部１０、脚部２０、および規制部３０は一体的に形成されている。
【００１３】
このカードホルダ１を成形する際には、例えば収容部１０は、一枚の平板から型抜きし、脚部２０および規制部３０はその収容部１０に型抜きや切り込みを入れることにより成形することができる。また、カードホルダ１は、後述する脚部２０と規制部３０との係合状態においてカードホルダ１を寝かせて押圧したとしても脚部２０と規制部３０とが定位置に戻る程度の弾性を有するものよりなることが好ましい。このような弾性を有するものとしては、例えばポリエチレンテレフタレートやポリカーボネート、ポリプロピレン、塩化ビニル等の合成樹脂が挙げられ、適度な弾性力と強度とを有するために、厚さは０．３ｍｍ〜０．５ｍｍ程度が好ましい。
【００１４】
（収容部１０）
収容部１０は、その前面がカレンダー紙葉等のカードの背面に当接してこれを支持すると共に脚部２０および規制部３０と連結される矩形の支持本体１２を有し、支持本体１２の長手方向（以後、左右方向と称する）両端部に第１側端部１４ａと第２側端部１４ｂとが形成され、支持本体１２の短手方向（以後、上下方向と称する）下端部に第１下端部１６ａと第２下端部１６ｂとが形成されている。この第１〜第２側端部１４ａ，１４ｂと第１〜第２下端部１６ａ，１６ｂとが図１の破線で示される折り目４０ａに沿って前方に略直角に折り曲げられることにより、図２に示されるような収容したカードの側縁を支持する側縁支持部１４およびカードの下端縁を支持する下端縁支持部１６が形成される。
【００１５】
なお、収容部１０、脚部２０、および規制部３０は上述したように一体的に形成されているため、脚部２０および規制部３０が下方に回動することにより、支持本体１２には脚部２０および規制部３０の外形と同形の孔が形成されることとなる。
【００１６】
（脚部２０）
脚部２０は、収容部１０の上下方向略中央に一端部が回動可能に連結され、上方に延在すると共に上方に向かうにつれて左右方向長さが漸次広がる台形状をなしており、図１および図２の破線で示される折り目４０ｂ（収容部１０と連結した一端部）に沿って後方へ折り曲げることにより、一端部を軸に他端部が下方に回動することができる。脚部２０の略中央には左右方向に間隔をあけて連設された２つの孔部２２が形成されており、これらの孔部２２の互いに対向する上端部に切り込み２４が形成されて２つの孔部２２が連通している。この切り込み２４が形成されることにより、規制部３０に当接するための当接片２６が２つの孔部２０の間、換言すればそれぞれの周縁部に形成されている。
【００１７】
脚部２０は、上述したように収容部１０と一体的に形成されているため、所定の位置まで下方に回動するよう折り曲げ、その状態で折り目４０ｂ近傍を押圧等することにより、当該位置に位置付けることができる。また、上述したように弾性を有しているため、その状態から下方にさらに回動させたとしても、ある程度所定の位置に戻ることができる。
【００１８】
（規制部３０）
規制部３０は、脚部２０の下方に位置しており、左右方向に延在して脚部２０の上方への回動を規制するための矩形の規制本体３２と規制本体３２の左右方向両端部から下方に延在する２つの脚体３４とを有して略コの字型をなしている。これら２つの脚体３４は、それぞれ一端部が収容部１０に連結されており、図１および図２の破線で示される折り目４０ｃ（収容部１０と連結した一端部）に沿って後方へ折り曲げることにより、２つの脚体３４それぞれの一端部を軸に規制部３０は下方に回動することができる。
【００１９】
規制部３０の上下方向の長さは、脚部２０の上下方向の長さより短く形成されており、したがって、脚部２０のみを下方に回動させると完全に覆われることとなる。また、規制体３０の左右方向長さは、脚部２０の孔部２２および切り込み２４に挿通するために脚部２０の２つの孔部２２を合わせた左右方向長さより短く形成されている。また、２つの脚体３４間の左右方向長さは、脚部２０の孔部２２および切り込み２４に挿通した際に脚体３４が対応する孔部２２内にそれぞれ位置できるよう、脚部２０における当接片２６の左右方向長さより長く形成されている。
【００２０】
また、規制部３０は、上述したように収容部１０と一体的に形成されているため、所定の位置まで下方に回動するよう折り曲げ、その状態で折り目４０ｃ近傍を押圧等することにより、当該位置に位置付けることができる。また、上述したように弾性を有しているため、その状態から下方にさらに回動または上方に回動させたとしても、ある程度所定の位置に戻ることができる。
【００２１】
以上のように構成されるカードホルダ１においては、不使用時には脚部２０および規制部３０が横臥するように非起立状態にあり、その状態でカレンダー紙葉等のカードを収容部１０に収めることができるため、全体にコンパクトにまとまっており、その収容、運搬等に好都合となっている。
【００２２】
（組み立て方法）
次に、本考案の実施の形態１に係るカードホルダ１の組み立て方法を説明する。カードホルダ１は、脚部２０および規制部３０を下方に回動させて起立状態とし、孔部２２を介して脚部２０と規制部３０とを係合させることにより、図３に示されるように、収容部１０の下端部と脚部２０の他端部とが設置面に接して自立した自立状態とすることができる。
【００２３】
具体的には、先ず、図４（ａ）に示されるように、脚部２０と規制部３０とを下方に回動させる。この時、脚部２０および規制部３０をある程度の角度（例えば脚部２０は１３５°、規制部は４５°）で位置付けることにより、脚部２０の背面に規制部３０が接触する状態となる。次に、脚部２０の孔部２２および切り込み２４に規制部３０を挿通することにより、図４（ｂ）に示されるように、側方から見て脚部２０を規制部３０が貫通して脚部２０と規制部３０とが十字状に交わり係合させることができる。この状態（以後、係合状態と称する）でカードホルダ１を後方へ傾斜させると、図４（ｃ）に示されるように、収容部１０の下端部と脚部２０の他端部とが設置面に接して自立することができる。なお、ここでは、脚部２０が下方に回動することにより、脚部２０の背面が支持本体１２の背面に対向し、前面が後方に向く状態となっている。
【００２４】
上述した係合状態をより具体的に説明する。規制本体３２を脚部２０の背面側から孔部２２および切り込み２４に挿通し、規制本体３２が脚部２０の前面側から抜け出ることにより、図５に示されるように、規制本体３２が脚部２０の後方（前面側）に位置し、規制部３０の２つの脚体３４のそれぞれが対応する２つの孔部２２のそれぞれを個別に貫通した状態となる。このとき、下方に折り曲げられた脚部２０が元の位置へ戻ろうと上方へ回動する復元力や、脚部２０を後方へ広げる（上方へ回動させる）付勢力が働いたとしても、規制本体３２が脚部２０の前面側に位置した状態でその下端部が当接片２６の前面に当接することにより、脚部２０の上方への回動が規制されることとなる。以上のことから、係合状態において脚部２０は上方への回動が不能にされている。
【００２５】
したがって、例えばカードホルダ１が自立状態にある時に、カードホルダ１を下方に押圧または自重が加わったとしても、脚部２０の後方への広がり（上方への回動）が当接片２６の規制本体３２下端部への当接により規制されるため、カードホルダ１の自立状態を維持することができる。
【００２６】
また、上述した本実施の形態に係るカードホルダ１によれば、係合状態において脚部２０の前面側で規制本体３２と当接し、背面側では当接せずに孔部２２内に棒状の脚体３４が貫通した状態であるため、脚部２０はさらなる下方への回動が可能となっている。したがって、係合状態を維持したままカードホルダ１を平板状とすることができる。以下、図面を用いてその作用を具体的に説明する。
【００２７】
図６（ａ）に示されるように、先ずカードホルダ１を寝かせた状態で設置面方向に付勢すると、図６（ｂ）に示されるように脚部２０の他端部が設置面に接触すると共に、脚部２０のさらなる下方（図６の寝かせた状態においては上方）への回動がなされる。この時、脚部２０の回動により当接片２６と規制本体３２との当接が解消されて、これらの間に隙間が生じるため、図６（ｃ）に示されるように、規制部３０の他端部も設置面により、一端部を軸に上方へ回動する。そしてさらに設置面方向に付勢されることにより、脚部２０の背面が支持本体１２の背面に当接すると共に規制部３０の前面が脚部２０の前面に当接し、図６（ｄ）に示されるように、カードホルダ１を平板状とすることができる。
【００２８】
さらに、上述したように脚部２０および規制部３０は弾性を有しており、ここでは単に他端部が付勢されて回動しているのみであるため、手を放す等、付勢力を解除するのみでその弾性力により元の位置、即ち係合状態の位置に戻ることができる。したがって、カードホルダ１を起こすのみで簡単に元の自立状態とすることができる。
【００２９】
また、係合状態において規制部３０のみを上方へ回動させるように収容部方向（上方）に付勢すると、孔部２２の上端縁と規制部３０の脚体３４前面とが当接する。ここでさらに付勢すると、孔部２２の上端縁が脚体３４の一端部（収容部１０との連結部分）に向かってその前面を上るように滑り、これにより脚部２０が収容部方向（下方）に向かって回動することができる。したがって、図７に示されるような収容部１０の上端部と規制部３０の他端部とが設置面に接した状態であっても、収容部１０の下端部を設置面方向に押圧することにより、簡単に図６（ｄ）に示されるような平板状とすることができる。
【００３０】
本実施の形態によれば、自立状態にあるカードホルダ１をそのまま寝かせて押さえつけることにより、カードホルダ１を平板状とすることができる。よって、カードに書き込みを行う場合であっても、カードホルダ１を平板状にすればカードを抜去することなくカードが収容部１０に挿入された状態で書き込みでき、その作業は極めて簡単である。また、書き込み後は、手を離すのみで元の係合状態に戻ることができるため、簡単にカードホルダ１を自立状態にすることができる。さらに、カードホルダ１が自立状態にある時に、支持本体１２に対し下方への負荷が加わったとしても、脚部２０と規制部３０とが係合し脚部２０の上方への回動が不能にされているため、脚部２０がこれ以上開くことはなく、適度な強度を有して自立状態を維持することができる。
【００３１】
＜実施の形態２＞
上述した実施の形態１では、脚部２０に２つの孔部２２と切り込み２４とを形成し、規制部３０がコの字型をなしていると説明を行ったが、この形状に限定されるものではなく、脚部２０と規制部３０とが、脚部２０の下方へのさらなる回動を可能に且つ上方への回動を不能に係合できればどのような形状であってもよい。本実施の形態においては、実施の形態１とは異なる形状の脚部と規制部とを有するカードホルダについて、図を参照して説明する。
【００３２】
（構成）
先ず、本実施の形態に係るカードホルダの構成について説明する。図８に示されるように、カードホルダ１’は、実施の形態１のカードホルダ１と比較して、脚部２０の代わりに脚部２０’、規制部３０の代わりに規制部３０’がそれぞれ収容部１０の支持本体１２に形成されている点で異なる。
【００３３】
（脚部２０’）
脚部２０’は、実施の形態１における脚部２０と比較すると、孔部２２の代わりに矩形の孔部２２’が形成されている。この孔部２２’は、その上端両角隅にそれぞれ左右方向に延在する２つの切り込み２６’が形成されている。この孔部２２’の左右方向両周縁部は、規制部３０’の後述する２つの規制突起３６とそれぞれ当接する当接片２６’となっている。なお、収容部１０と連結された一端部の中央には、回動の初動時に規制部３０’と接触しないように円弧状の切り込みが形成されており、したがって脚部２０’が下方に回動した状態において当該円弧状の部分が支持本体１２に残ることとなる。
【００３４】
（規制部３０’）
規制部３０’は、一端部が収容部１０に連結しており、他端部の左右方向両端部に互いに離間する方向へ突出する、脚部２０’の上方への回動を規制するための２つの規制突起３６が形成され、当該規制突起３６から上方に延在すると共に上方に向かうにつれて左右方向長さが漸次狭まる、所謂矢印状をなしている。この規制部３０’の最大左右方向長さ、即ち２つの規制突起３６の先端間の長さは、規制部３０’が脚部２０’に形成された孔部２２’および切り込み２４’に挿通するために、孔部２２’および２つの切り込み２４’を合わせた左右方向長さより短くされている。同様に、規制突起３６を含まない規制部３０’の左右方向長さは、孔部２２’の左右方向長さより短くされている。
【００３５】
（組み立て方法）
本考案の実施の形態２に係るカードホルダ１’は、カードホルダ１と同様に脚部２０’と規制部３０’とを係合させることにより自立状態とすることができる。即ち、脚部２０’および規制部３０’を下方に回動させて孔部２２’と規制部３０’とを係合させることにより係合状態とすることができ、図９に示されるように、収容部１０の下端部と脚部２０’の他端部とが設置面に接して自立することができる。
【００３６】
本実施の形態におけるカードホルダ１’の係合状態を具体的に説明する。規制突起３６と共に規制部３０’の他端部を脚部２０’の背面側から孔部２２’および切り込み２４’に挿通し、２つの規制突起３６それぞれが脚部２０’の前面側から抜け出ることにより、図１０に示されるように、規制部３０’の他端部および規制突起３６が脚部２０’の後方（前面側）に位置し、規制部３０’が孔部２２’を貫通した状態となる。このとき、下方に折り曲げられた脚部２０’が元の位置へ戻ろうと上方へ回動する復元力や、脚部２０’を後方へ広げる（上方へ回動させる）付勢力が働いたとしても、２つの規制突起３６脚部２０’の前面側に位置した状態で、それぞれの下端部が対応する当接片２６’の前面に当接することにより、脚部２０’の上方への回動が規制されることとなる。以上のことから、係合状態において脚部２０’は上方への回動が不能にされている。一方、規制部３０’は規制突起３６より下方が棒状をなしているため、脚部２０’はさらなる下方への回動が可能となっている。
【００３７】
また、上述した係合状態となる本実施の形態に係るカードホルダ１’によれば、カードホルダ１と同様に、脚部２０’と規制部３０’とが交差するように係合し、脚部２０’の前面側で規制部３０’と当接するため、係合状態を維持したまま平板状とすることができる。したがって、カードホルダ１’はカードホルダ１と同様の作用効果を奏することができる。
【００３８】
なお、実施の形態１および２においては、切り込み２６，２６’を孔部２２，２２’の上端に形成したが、これに限定されるものではなく、下端部または中央等に形成するようにしてもよい。また、実施の形態１および２においては、収容部１０、脚部２０，２０‘、および規制部３０，３０’が一体的に形成されていると説明したが、それぞれ別体として形成するようにしてもよい。また、実施の形態２においては、規制突起３６を２つ設けているがこれに限定されるものではなく、少なくとも１つ形成されていればよい。
【００３９】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００４０】
１，１’  カードホルダ
１０  収容部
２０  脚部
２２，２２’  孔部（孔）
２４，２４’  切り込み
２６，２６’  当接片（孔部の周縁部）
３０  規制部
３２  規制本体
３４  脚体
３６  規制突起。
【図１】
0003206431.tif 000003
【図２】
0003206431.tif 000004
【図３】
0003206431.tif 000005
【図４】
0003206431.tif 000006
【図５】
0003206431.tif 000007
【図６】
0003206431.tif 000008
【図７】
0003206431.tif 000009
【図８】
0003206431.tif 000010
【図９】
0003206431.tif 000011
【図１０】
0003206431.tif 000012